(57)【要約】【課題】第１の筐体の表示画面を表にしても裏にしても第２の筐体に対して第１の筐体を閉じるようにした折り畳み型電子機器において、第２の筐体とヒンジの継目部分を目立たないようにする。【解決手段】開閉軸５２の軸線Ｘを中心にして第１の筐体２を回動させると、第２の筐体３に対して第１の筐体２を開閉することができる。開閉軸５２に対してねじりの位置にある回動軸５３の軸線Ｙを中心にして第１の筐体２を回動させると、第１の筐体２を反転させることができる。第１の筐体２を閉じた状態において表示画面２１が表になっていても裏になっていても、正面から見た場合に支持部３８，３９及び開閉軸カバー５９，６０が回動軸カバー５７，５８の裏側に隠れる。【選択図】図５
2007192284.tif 000002
【特許請求の範囲】
【請求項１】
表示画面を有する第１の筐体と、
第２の筐体と、
互いにねじれの位置の関係にある２つの回動軸を有する二軸ヒンジと、を備え、
第１の回動軸が前記表示画面とその反対側の面との間において前記第１の筐体に連結され、前記第１の筐体が前記第１の回動軸の軸線を中心にして回動可能に設けられ、
第２の回動軸が前記第２の筐体の前面と背面との間において前記第２の筐体に連結され、前記第１の筐体及び前記第１の回動軸が前記第２の回動軸の軸線を中心にして回動可能に設けられることにより前記第１の筐体が前記第２の筐体に対して開閉可能とされ、
前記第１の筐体が前記第２の筐体に対して閉じた状態において前記第１の筐体側から見て前記第２の回動軸が前記第１の回動軸の裏側にあることを特徴とする折り畳み型電子機器。
【請求項２】
前記二軸ヒンジが前記第１の回動軸を収容した回動軸カバーを有し、
前記回動軸カバーが前記第２の回動軸の軸線を中心にして回動可能に設けられ
前記第１の筐体が前記第２の筐体に対して閉じた状態において前記第１の筐体側から見て前記第２の回動軸が前記回動軸カバーの裏側にあることを特徴とする請求項１に記載の折り畳み型電子機器。
【請求項３】
前記二軸ヒンジが前記第１の回動軸の軸線方向に対して直交するように前記回動軸カバーから突出した開閉軸カバーを有し、
前記第２の回動軸が前記開閉軸カバーに収容されていることを特徴とする請求項２に記載の折り畳み型電子機器。
【請求項４】
前記表示画面が表又は裏になった状態において前記第１の筐体の外面が前記回動軸カバーの外面と面一になることを特徴とする請求項２又は３に記載の折り畳み型電子機器。
【請求項５】
表示画面を有する第１の筐体と、
第２の筐体と、
前記第１の筐体と前記第２の筐体を連結した二軸ヒンジと、を備え、
前記二軸ヒンジが、前記表示画面とその反対側の面との間において前記第１の筐体に連結した第１の回動軸と、前記第１の回動軸が設けられた第１の部分と、前記第１の回動軸の軸線方向に対して直交するように前記第１の部分から突出した第２の部分と、前記第２の筐体の前面と背面との間において前記第２の筐体に連結するとともに前記第１の回動軸に対してねじれの位置の関係になるように前記第２の部分に設けられた第２の回動軸と、を備え、
前記第１の筐体が前記第１の回動軸の軸線を中心にして回動可能に設けられ、
前記第１の筐体、前記第１の回動軸及び前記第１の部分が前記第２の回動軸の軸線を中心にして回動可能に設けられることにより前記第１の筐体が前記第２の筐体に対して開閉可能とされ、
前記第１の筐体が前記第２の筐体に対して閉じた状態において前記第１の筐体側から見て前記第２の回動軸及び前記第２の部分が前記第１の部分の裏側にあることを特徴とする折り畳み型電子機器。
【請求項６】
前記表示画面が表又は裏になった状態において前記第１の筐体の外面が前記第１の部分の外面と面一になることを特徴とする請求項５に記載の折り畳み型電子機器。
【発明の詳細な説明】
【技術分野】
【０００１】
本発明は、第１の筐体の表示画面を表にしても裏にしても折り畳めるようにした折り畳み型電子機器に関する。
【背景技術】
【０００２】
近年、携帯電話機といった電子機器には、表示画面の第１の筐体をヒンジ構造によりテンキーの第２の筐体に連結することによって第１の筐体を第２の筐体に対して開閉可能とした折り畳み構造が適用されている。更に、ヒンジ構造を互いに直交する二軸のヒンジ構造とすることによって、一方の回動軸を中心にして第１の筐体を第２の筐体に対して開閉可能とし、他方の回動軸を中心にして第１の筐体を反転可能とし、表示画面を表にしても裏にしても折り畳めるようにした電子機器が提案されている（例えば、特許文献１，２参照）。特許文献１，２に記載された電子機器においては、第２の筐体の表面に突出部が設けられ、突出部が前記一方の回動軸（開閉軸）の軸受となるように構成されている。
【特許文献１】特開２００３−１３３７６４号公報
【特許文献２】特開２００５−２５２５３９号公報
【発明の開示】
【発明が解決しようとする課題】
【０００３】
しかしながら、第１の筐体を第２の筐体に対して閉じた場合、第１の筐体側から電子機器を見ると、第２の筐体の突出部が見えてしまい、その突出部とヒンジ構造の継目部分が見えてしまう。特に、表示画面を表にして第１の筐体を第２の筐体に対して閉じた場合、第２の筐体の突出部とヒンジ構造の継目部分が見えると、ヒンジ構造が一見して目立つので、デザイン上好ましくない。
【０００４】
そこで、本発明は上記課題を解決しようとしてなされたものであり、第１の筐体の表示画面を表にしても裏にしても第２の筐体に対して第１の筐体を閉じるようにした折り畳み型電子機器において、第２の筐体とヒンジの継目部分を目立たないようにすることを目的とする。
【課題を解決するための手段】
【０００５】
以上の課題を解決するため、請求項１に記載の折り畳み型電子機器は、
表示画面を有する第１の筐体と、
第２の筐体と、
互いにねじれの位置の関係にある２つの回動軸を有する二軸ヒンジと、を備え、
第１の回動軸が前記表示画面とその反対側の面との間において前記第１の筐体に連結され、前記第１の筐体が前記第１の回動軸の軸線を中心にして回動可能に設けられ、
第２の回動軸が前記第２の筐体の前面と背面との間において前記第２の筐体に連結され、前記第１の筐体及び前記第１の回動軸が前記第２の回動軸の軸線を中心にして回動可能に設けられることにより前記第１の筐体が前記第２の筐体に対して開閉可能とされ、
前記第１の筐体が前記第２の筐体に対して閉じた状態において前記第１の筐体側から見て前記第２の回動軸が前記第１の回動軸の裏側にあることを特徴とする。
【０００６】
請求項１に係る発明によれば、第１の回動軸と第２の回動軸がねじりの位置にあり、第１の筐体が第２の筐体に対して閉じた状態において第１の筐体側から見て第２の回動軸が第１の回動軸の裏側にあるので、第２の筐体と二軸ヒンジの継目部分が第１の回動軸の裏側にあり、第２の筐体と二軸ヒンジの継目部分が目に入らない。
【０００７】
請求項２に記載の折り畳み型電子機器は、請求項１に記載の折り畳み型電子機器において、
前記二軸ヒンジが前記第１の回動軸を収容した回動軸カバーを有し、
前記回動軸カバーが前記第２の回動軸の軸線を中心にして回動可能に設けられ
前記第１の筐体が前記第２の筐体に対して閉じた状態において前記第１の筐体側から見て前記第２の回動軸が前記回動軸カバーの裏側にあることを特徴とする。
【０００８】
請求項２に係る発明によれば、第１の筐体が第２の筐体に対して閉じた状態において第１の筐体側から見て第２の回動軸が回動軸カバーの裏側にあるので、第２の回動軸が回動軸カバーに隠れる。そのため、第２の筐体と二軸ヒンジの継目部分が目に入らない。
【０００９】
請求項３に記載の折り畳み型電子機器は、請求項２に記載の折り畳み型電子機器において、前記二軸ヒンジが前記第１の回動軸の軸線方向に対して直交するように前記回動軸カバーから突出した開閉軸カバーを有し、
前記第２の回動軸が前記開閉軸カバーに収容されていることを特徴とする。
【００１０】
請求項３に係る発明によれば、開閉軸カバーが第１の回動軸の軸線方向に対して直交するように回動軸カバーから突出し、開閉軸カバーに収容された第２の回動軸が第２の筐体に連結されているので、第１の筐体が第２の筐体に対して閉じた状態において第１の筐体側から見て開閉軸カバーが回動軸カバーの裏側にある。そのため、開閉軸カバーが目に入らず、第２の筐体と開閉軸カバーの継目部分が目に入らない。
【００１１】
請求項４に記載の折り畳み型電子機器は、請求項２又は３に記載の折り畳み型電子機器において、前記表示画面が表又は裏になった状態において前記第１の筐体の外面が前記回動軸カバーの外面と面一になることを特徴とする。
【００１２】
請求項４に係る発明によれば、表示画面が表又は裏になった状態において第１の筐体の外面が回動軸カバーの外面と面一になるので、第１の筐体の外面と回動軸カバーの外面の継目部分が目立たない。
【００１３】
請求項５に記載の折り畳み型電子機器は、
表示画面を有する第１の筐体と、
第２の筐体と、
前記第１の筐体と前記第２の筐体を連結した二軸ヒンジと、を備え、
前記二軸ヒンジが、前記表示画面とその反対側の面との間において前記第１の筐体に連結した第１の回動軸と、前記第１の回動軸が設けられた第１の部分と、前記第１の回動軸の軸線方向に対して直交するように前記第１の部分から突出した第２の部分と、前記第２の筐体の前面と背面との間において前記第２の筐体に連結するとともに前記第１の回動軸に対してねじれの位置の関係になるように前記第２の部分に設けられた第２の回動軸と、を備え、
前記第１の筐体が前記第１の回動軸の軸線を中心にして回動可能に設けられ、
前記第１の筐体、前記第１の回動軸及び前記第１の部分が前記第２の回動軸の軸線を中心にして回動可能に設けられることにより前記第１の筐体が前記第２の筐体に対して開閉可能とされ、
前記第１の筐体が前記第２の筐体に対して閉じた状態において前記第１の筐体側から見て前記第２の回動軸及び前記第２の部分が前記第１の部分の裏側にあることを特徴とする。
【００１４】
請求項５に係る発明によれば、第１の回動軸と第２の回動軸がねじりの位置にあり、第１の筐体が第２の筐体に対して閉じた状態において第１の筐体側から見て第２の回動軸が第１の部分の裏側にあるので、第２の筐体と第２の部分の継目部分が目に入らない。
【００１５】
請求項６に記載の折り畳み型電子機器は、請求項５に記載の折り畳み型電子機器において、
前記表示画面が表又は裏になった状態において前記第１の筐体の外面が前記第１の部分の外面と面一になることを特徴とする。
【００１６】
請求項６に係る発明によれば、表示画面が表又は裏になった状態において第１の筐体の外面が第１の部分の外面と面一になるので、第１の筐体の外面と第１の部分の外面との継目部分が目立たない。
【発明の効果】
【００１７】
本発明によれば、第１の筐体が第２の筐体に対して閉じた状態において第１の筐体側から見ると、第２の筐体と二軸ヒンジとの継目部分が裏側に隠れて目立たない。そのため、表示画面を表にして第１の筐体を第２の筐体に対して閉じた場合、二軸ヒンジが一見してわからないので、デザイン性に優れた折り畳み電子機器を提供することができる。
【発明を実施するための最良の形態】
【００１８】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１９】
図１〜図４は、本発明の折り畳み型電子機器を適用した携帯電話機１の斜視図であり、図５は、携帯電話機１の分解斜視図である。
【００２０】
この携帯電話機１においては、第１の筐体２が二軸ヒンジ５によって第２の筐体３に連結されている。第１の筐体２の前面には表示画面２１が設けられ、第２の筐体３の前面にはテンキー（ダイヤルキー）、オフフックキー、オンフックキー、カーソルキー（４方向キー）、センターキー（決定キー）等といった操作部３１が設けられ、第２の筐体３の背面にはデジタルカメラユニットの対物窓３２（図７に図示）が設けられている。
【００２１】
二軸ヒンジ５は、第２の筐体３の前面と背面との間において第２の筐体３の幅方向に延びた軸線Ｘと、第１の筐体２の前面と背面との間において第１の筐体２の長手方向に延びた軸線Ｙとを有する。軸線Ｘと軸線Ｙはねじれの位置の関係にある。具体的には、軸線Ｘは、第２の筐体３の厚み方向略中央部に位置するとともに第２の筐体３の長手方向一端部に位置する。軸線Ｙは、第１の筐体２の厚み方向略中央部に位置するとともに第１の筐体２の幅方向略中央部に位置している。第１の筐体２は二軸ヒンジ５によって軸線Ｙを中心にして回動可能に設けられ、第２の筐体３は二軸ヒンジ５によって軸線Ｘを中心にして回動可能に設けられている。第２の筐体３に対する第１の筐体２の開閉は、軸線Ｘを中心に第１の筐体２を回動させて行い、第１の筐体２の表裏反転は、軸線Ｙを中心に第１の筐体２を回動させて行う。
【００２２】
図６は、第１の筐体２を分解した状態の斜視図である。図６に示すように、第１の筐体２の前面側が表ケース２３で構成され、第１の筐体２の背面側が裏ケース２４で構成され、表ケース２３と裏ケース２４が張り合わせられてネジ２９，２９…により接合され、第１の筐体２の内部に収容空間が形成されている。第１の筐体２の二軸ヒンジ５側の端面には、開口２８が形成されている。
【００２３】
回路基板２６、液晶ディスプレイパネル等が中ケース２５に搭載され、この中ケース２５が回路基板２６、液晶ディスプレイパネル等とともに第１の筐体２内に収容され、この中ケース２５はネジ２９，２９…により第１の筐体２に固定されている。なお、第１の筐体２の前面の一部が透明とされ、その透明な部分に液晶ディスプレイパネルが対向することで、その透明な部分が表示画面２１となっている。この表示画面２１は長方形であり、表示画面２１の長手方向が第１の筐体２の長手方向と同様に軸線Ｙ方向に平行である。図６においては、液晶ディスプレイパネルが回路基板２６の裏側に設けられているので図示を省略する。
【００２４】
図７は、第２の筐体３を分解した状態の斜視図である。図７に示すように、第２の筐体３の前面側が表ケース３３で構成され、第２の筐体３の背面側が裏ケース３４で構成され、表ケース３３と裏ケース３４が張り合わせられてネジ４９，４９…により接合され、第２の筐体３の内部に収容空間が形成されている。第２の筐体３の二軸ヒンジ５側の端部が二股に分かれた状態に設けられ、この二股部分のうちの一方の支持部３８における他方の支持部３９に相対した面には開口４０が形成され、他方の支持部３９における一方の支持部３８に相対した面にも開口４１が形成されている。
【００２５】
回路基板３６、デジタルカメラユニット３７等が中ケース３５に搭載され、この中ケース３５が回路基板３６、デジタルカメラユニット３７とともに第２の筐体３内に収容され、この中ケース３５はネジ４９，４９…により第２の筐体３に固定されている。
【００２６】
図８〜図９は二軸ヒンジ５の斜視図であり、図１０は二軸ヒンジ５の分解斜視図である。図８〜図１０に示すように、二軸ヒンジ５は、ベース部材５１、開閉軸（第２の回動軸）５２、回動軸（第１の回動軸）５３、操作部取付部材５４，５５、表示部取付部材５６、回動軸カバー５７，５８及び開閉軸カバー５９，６０を備える。
【００２７】
ベース部材５１が軸線Ｘと軸線Ｙの両方に直交する方向に延び、ベース部材５１の一端部に開閉軸５２が連結され、ベース部材５１の他端部に回動軸５３が連結されている。開閉軸５２は軸線Ｘ方向に延び、開閉軸５２の軸心が軸線Ｘとされ、開閉軸５２が軸線Ｘを中心にしてベース部材５１に対して回動可能に設けられている。開閉軸５２の一端部には操作部取付部材５４が取り付けられ、開閉軸５２の他端部には操作部取付部材５５が取り付けられている。回動軸５３は軸線Ｙ方向に延び、回動軸５３の軸心が軸線Ｙとされ、回動軸５３が軸線Ｙを中心にしてベース部材５１に対して回動可能に設けられている。回動軸５３の先端部には表示部取付部材５６が取り付けられている。
【００２８】
二軸ヒンジ５の前面側が回動軸カバー５７で構成され、二軸ヒンジ５の背面側が回動軸カバー５８で構成され、回動軸カバー５７と回動軸カバー５８が張り合わせられてネジ６９，６９により接合されている。回動軸カバー５８には切欠き６２が形成され、その切欠き６２が開閉軸カバー５９と開閉軸カバー６０によって覆われ、開閉軸カバー５９と開閉軸カバー６０が回動軸カバー５７から突出した状態に設けられている。開閉軸カバー５９は爪の係合により回動軸カバー５７と開閉軸カバー６０に固定され、開閉軸カバー６０は爪の係合により回動軸カバー５７に固定され、これらカバー５７〜６０の組立体が二軸ヒンジ５の筐体となる。
【００２９】
回動軸カバー５７と回動軸カバー５８の内側に収容空間が形成され、開閉軸カバー５９と開閉軸カバー６０の内側に収容空間が形成され、回動軸カバー５７，５８の内側の収容空間が切欠き６２によって開閉軸カバー５９，６０の内側の収容空間に通じている。回動軸カバー５７，５８の内側の収容空間にベース部材５１の一部が収容され、ベース部材５１の他の一部が開閉軸カバー５９，６０の内側の収容空間に収容されている。カバー５７〜６０が爪によりベース部材５１に係合することで、ベース部材５１に対してカバー５７〜６０が固定されている。
【００３０】
回動軸５３の一部が回動軸カバー５７と回動軸カバー５８の内側の収容空間に収容され、回動軸カバー５７と回動軸カバー５８の端面には開口６１が形成され、回動軸５３がその開口６１を貫通して回動軸カバー５７，５８から外へ突出している。開閉軸カバー５９，６０の内側の収容空間に開閉軸５２の一部が収容され、開閉軸カバー５９と開閉軸カバー６０の両側端面には開口６４，６５がそれぞれ形成され、開閉軸５２が開口６４，６５を貫通して開閉軸カバー５９，６０から外へ突出している。
【００３１】
図６に示すように、表示部取付部材５６がネジ結合、リベット結合又はピン結合により中ケース２５に接続され、表示部取付部材５６が第１の筐体２内に収容され、回動軸５３が開口２８を貫通している。
【００３２】
図７に示すように、操作部取付部５４，５５がネジ結合、リベット結合又はピン結合により中ケース３５に接続され、操作部取付部５４が支持部３８において第２の筐体３内に収容され、開閉軸５２が開口４０を貫通し、操作部取付部５５が支持部３９において第２の筐体３内に収容され、開閉軸５２が開口４１を貫通している。また、二軸ヒンジ５の前面の突出した部分、つまり、開閉軸カバー５９，６０が、支持部３８と支持部３９の間に挿入されている。支持部３８の側端面から支持部３９の側端面までの幅は、回動軸カバー５８の幅に略等しい。
【００３３】
上記二軸ヒンジ５においては、回動軸カバー５７，５８が、回動軸５３が設けられた第１の部分であり、開閉軸カバー５９，６０が、回動軸５３の軸線Ｙ方向に対して直交するように第１の部分から突出した第２の部分である。
【００３４】
なお、フレキシブル配線基板の一端部が回路基板２６に接続され、このフレキシブル配線基板が開口２８，６１を通ってカバー５７〜６０の内側を経由し、開口６５，４１（又は開口６４，４０）を通って第２の筐体３内に至り、このフレキシブル配線基板の他端部が回路基板３６に接続されている。
【００３５】
以上の携帯電話機１においては、図１、図２に示すように、開閉軸５２の軸線Ｘを中心にして第１の筐体２、カバー５７〜６０、ベース部材５１及び回動軸５３を第２の筐体３に対して回動させると、第２の筐体３に対して第１の筐体２を開くことができる。回動軸５３の軸線Ｙを中心にして第１の筐体２をカバー５７〜６０、ベース部材５１、開閉軸５２及び第２の筐体３に対して回動させると、図１に示すように表示画面２１を正面に向けた状態や、図２に示すように表示画面２１を後ろに向けた状態にすることができる。表示画面２１を正面に向けた状態でも、表示画面２１を後ろに向けた状態でも、第１の筐体２の外面が回動軸カバー５７，５８の外面と面一となり、第１の筐体２と回動軸カバー５７，５８の継目部分に段差が生じず、その継目部分が目立たない。
【００３６】
図１の状態から開閉軸５２の軸線Ｘを中心にして第１の筐体２を第２の筐体３に対して閉じると、図３に示すように表示画面２１と操作部３１を向き合った状態で携帯電話機１を折り畳むことができる。図２の状態から開閉軸５２の軸線Ｘを中心にして第１の筐体２を第２の筐体３に対して閉じると、図４に示すように表示画面２１が正面を向いた状態で携帯電話機１を折り畳むことができる。表示画面２１を操作部３１に対向させた状態でも、表示画面２１を正面に向けて露出させた状態でも、正面から見た場合に支持部３８，３９及び開閉軸カバー５９，６０が回動軸カバー５７，５８の裏側に隠れる。そのため、第２の筐体３に対して第１の筐体２を閉じた状態において、正面から第１の筐体２を見た場合に、開閉軸５２、支持部３８，３９及び開閉軸カバー５９，６０が回動軸カバー５７，５８の裏側にあり、支持部３８，３９と開閉軸カバー５９，６０の継目部分が隠れて目に入らない。そのため、一見してヒンジ構造でないように見え、携帯電話機１の外面が滑らかに見え、携帯電話機１のデザイン性に優れている。特に、第１の筐体２を閉じて表示画面２１を正面に向けた状態で使用する場合に、見た目が良い上、更に表示画面２１を横にして表示画面２１を見るときには、支持部３８，３９及び開閉軸カバー５９，６０が回動軸カバー５７，５８の裏側に隠れるので、表示画面２１の右側と左側のデザイン上のバランスが良い。勿論、携帯電話機１を折り畳んだ状態でも、第１の筐体２の外面が回動軸カバー５７，５８の外面と面一となり、第１の筐体２と回動軸カバー５７，５８の継目部分に段差が生じない。
【００３７】
〔変形例〕
上記実施形態の携帯電話機１では、開閉軸カバー５９，６０を支持部３８，３９で左右に挟むような構造であったが、図１１に示すような変形例の携帯電話機１Ａでは、第２の筐体３に設けられた支持部３８Ａを二軸ヒンジ５Ａの第２の部分５９Ａと第２の部分６０Ａとで挟むような構造とされている。ここで、第２の部分６０Ａ内には開閉軸５２Ａが一部収容されるように設けられ、その開閉軸５２Ａに操作部取付部材５４Ａが取り付けられ、操作部取付部５４Ａが支持部３８Ａの開口を通って第２の筐体３内において中ケース２５に取り付けられている。同様に、第２の部分５９Ａ内には開閉軸が一部収容されるように設けられ、その開閉軸に操作部取付部材５５Ａが取り付けられ、操作部取付部５５Ａが支持部３８Ａの開口４１Ａを通って第２筐体３内において中ケース２５に取り付けられている。また、第２の部分５９Ａ及び第２の部分６０Ａは、複数の開閉軸カバーを組み立てることで構成されている。この携帯電話機１Ａは、上述したことを除いて携帯電話機１と同様に構成されているので、図１１においては携帯電話機１の各部と同一の部分に同一の符号を付し、携帯電話機１Ａの同一の部分についての説明を省略する。
【００３８】
なお、本発明は、上記実施形態又は変形例に限定されることなく、本発明の趣旨を逸脱しない範囲において、種々の改良並びに設計の変更を行っても良い。
上記実施形態では折り畳み型電子機器として携帯用電話機１を例に挙げて説明を行ったが、ノート型パーソナルコンピュータ、デジタルスチルカメラ、デジタルビデオカメラ、ＰＤＡ（Personal Digital Assistance）、電子手帳、携帯用無線機、その他の折り畳み型電子機器にも本発明を適用しても良い。
【図面の簡単な説明】
【００３９】
【図１】表示画面を表にして第１の筐体を開いた状態における携帯電話機の斜視図である。
【図２】表示画面を裏にして第１の筐体を開いた状態における携帯電話機の斜視図である。
【図３】表示画面を裏にして第１の筐体を閉じた状態における携帯電話機の斜視図である。
【図４】表示画面を表にして第１の筐体を閉じた状態における携帯電話機の斜視図である。
【図５】第１の筐体、第２の筐体及び二軸ヒンジを離した状態における携帯電話機の分解斜視図である。
【図６】第１の筐体を分解した状態における第１の筐体、二軸ヒンジの斜視図である。
【図７】第２の筐体を分解した状態における第１の筐体、第２の筐体、二軸ヒンジの斜視図である。
【図８】二軸ヒンジの斜視図である。
【図９】二軸ヒンジの斜視図である。
【図１０】二軸ヒンジの分解斜視図である。
【図１１】第１の筐体、第２の筐体及び二軸ヒンジを離した状態における変形例の携帯電話機の分解斜視図である。
【符号の説明】
【００４０】
１、１Ａ  携帯電話機
２  第１の筐体
３  第２の筐体
５  二軸ヒンジ
５２、５２Ａ  開閉軸
５３  回動軸
５７、５８  回動軸カバー、第２の部分
５９、６０  開閉軸カバー、第１の部分
５９Ａ、６０Ａ  第２の部分
【図１】
2007192284.tif 000003
【図２】
2007192284.tif 000004
【図３】
2007192284.tif 000005
【図４】
2007192284.tif 000006
【図５】
2007192284.tif 000007
【図６】
2007192284.tif 000008
【図７】
2007192284.tif 000009
【図８】
2007192284.tif 000010
【図９】
2007192284.tif 000011
【図１０】
2007192284.tif 000012
【図１１】
2007192284.tif 000013